(57)【要約】【課題】  加熱手段によって使用された熱量が分かる貯湯式給湯機を提供する。【解決手段】  給水口１１及び吐出口１２を備えた貯湯タンク１にこの内部に貯められる湯水を加熱する加熱手段（２）を設けた貯湯式給湯機である。給水口１１から貯湯タンク１内に給水される水の温度を計測する給水温センサーＴ１を給水口１１に設けるとともに吐出口１２から吐出される湯の温度を計測する吐湯温センサーＴ２を吐出口１２に設け、給水口１１から貯湯タンク１内に給水される水の流量を計測する流量計Ｒ１を給水口１１に設けた。【選択図】      図１
2005241058.tif 000002
【特許請求の範囲】
【請求項１】
給水口及び吐出口を備えた貯湯タンクにこの内部に貯められる湯水を加熱する加熱手段を設けた貯湯式給湯機において、給水口から貯湯タンク内に給水される水の温度を計測する給水温センサーを給水口に設けるとともに吐出口から吐出される湯の温度を計測する吐湯温センサーを吐出口に設け、給水口から貯湯タンク内に給水される水の流量を計測する流量計を給水口に設けて成ることを特徴とする貯湯式給湯機。
【発明の詳細な説明】
【技術分野】
【０００１】
本発明は、貯湯タンクに湯水を貯める貯湯式給湯機に関する。
【背景技術】
【０００２】
従来より給湯機として貯湯式給湯機が用いられている（例えば特許文献１参照）。貯湯式給湯機は、内部に湯水を貯めるための貯湯タンクに給水口と吐出口が設けてあり、貯湯タンク内に貯められる湯水を加熱する加熱手段を備えている。加熱手段としては特に限定されないが、例えばヒートポンプ等が挙げられる。
【０００３】
この貯湯式給湯機は、水道水等を給水口より貯湯タンク内に供給するとともに、この貯湯タンク内に貯まった水を加熱手段にて加熱し、吐出口より高温となった湯を吐出してこれを利用するものである。
【０００４】
ところで、このような従来の貯湯式給湯機においては、給水温や吐湯温及び流量といったものを特に計測しておらず、使用熱量（即ち加熱手段によって貯湯タンクに入った水に与えた熱量）を把握することができないものであった。
【特許文献１】特開２００３−２１４７１１号公報
【発明の開示】
【発明が解決しようとする課題】
【０００５】
本発明はこのような点に鑑みなされたものであって、その目的とするところは、加熱手段によって使用された熱量を把握する貯湯式給湯機を提供することにある。
【課題を解決するための手段】
【０００６】
上記課題を解決するために請求項１に係る発明にあっては、給水口１１及び吐出口１２を備えた貯湯タンク１にこの内部に貯められる湯水を加熱する加熱手段（２）を設けた貯湯式給湯機において、給水口１１から貯湯タンク１内に給水される水の温度を計測する給水温センサーＴ１を給水口１１に設けるとともに吐出口１２から吐出される湯の温度を計測する吐湯温センサーＴ２を吐出口１２に設け、給水口１１から貯湯タンク１内に給水される水の流量を計測する流量計Ｒ１を給水口１１に設けて成ることを特徴とするものである。このような構成とすることで、使用した熱量を把握することが可能となる。
【発明の効果】
【０００７】
本発明にあっては、加熱手段によって使用された熱量を把握することができる。
【発明を実施するための最良の形態】
【０００８】
以下、本発明を添付図面に示す実施形態に基づいて説明する。図１に本発明の貯湯式給湯機の構成図を示す。
【０００９】
貯湯タンク１は、筒状の側面部１ａの上下に略半球状の頂部１ｂ及び底部１ｃを設けた密閉構造となっている。この貯湯タンク１には給水口１１及び吐出口１２を設けるもので、本実施形態では低温の水を供給するための給水口１１を貯湯タンク１の底部１ｃに設け、高温の湯を吐出するための吐出口１２を頂部１ｂに設けてある。給水口１１には、水道等と接続されている給水管３の下流側端部が接続され、この給水管３には給水栓３１及び減圧弁３２を設けて低圧の水を自在に貯湯タンク１内に供給可能となっている。そして給水管３には本発明における給水温センサーＴ１及び流量計Ｒ１が設けてあり、これについては後述する。なお、この給水管３の下流側端部の近傍からは排水バルブ３３を有する排水管３４が設けてあり、貯湯タンク１内の湯水が排水可能となっている。
【００１０】
なお、この貯湯式給湯機には制御部（図示せず）が設けてあり、弁（バルブ）やヒートポンプ等の駆動・停止を制御するとともに、給水温センサーＴ１、吐湯温センサーＴ２、温度センサーＴ３、流量計Ｒ１、流量計Ｒ２等のセンサーが電気的に接続されてその計測値を認識できて、制御部の演算部にて後述する熱量を計算して表示手段にその結果を表示させることができる。
【００１１】
吐出口１２には給湯管４の上流側端部が接続され、この給湯管４は途中から高温用の給湯管４ａと中温用の給湯管４ｂとに分岐している（以下、分岐部よりも上流側を単に給湯管４というものとする）。高温用の給湯管４ａは、途中に給湯栓４１を有するとともに下流側端部に使用者が湯を吐出させるための吐湯栓４２が設けてあり、給湯栓４１及び吐湯栓４２を開栓することで貯湯タンク１内の高温の湯をそのまま供給可能となっている。
【００１２】
中温用の給湯管４ｂは、その途中に給水管３からの分岐管３５が接続され、貯湯タンク１からの湯と給水管３からの水とを混合して温度調整を行ってから吐出させるようになっている。分岐管３５は、給水管３の給水栓３１及び減圧弁３２の下流側で且つ排水管３４を分岐した部分よりも上流側において分岐しており、その下流側端部は中温用の給湯管４ｂの途中に設けた混合弁４３に接続してある。また、中温用の給湯管４ｂの前記混合弁４３よりも下流側の部分にはサーミスタからなる温度センサーＴ３及び流量計Ｒ２が設けてあるとともに、下流側端部には使用者が湯水を吐出させるための吐出栓４４が設けてある。そして、この中温用の給湯管４ｂにあっては、吐出栓４４を開栓するとともに混合弁４３において中温用の給湯管４ｂの上流側への開度と分岐管３５への開度とを調整することで、貯湯タンク１からの高温の湯と給水管３からの低温の水とを適当な割合で混合して所望の温度の湯を作成し、吐出栓４４から使用者が吐出させることができるものである。この給湯管４に本発明における吐湯温センサーＴ２が設けてあり、これについては後述する。また、給湯管４の上流側端部の近傍からは逃がし弁４５を有する逃がし管４６が設けてある。
【００１３】
この貯湯タンク１には加熱手段が設けられる。加熱手段は、貯湯タンク１内に貯められる湯水を加熱するもので、本実施形態ではヒートポンプ２を用いるものである。詳述すると、貯湯タンク１の底部１ｃに貯湯タンク１内の底部１ｃの水をヒートポンプ２へと搬送するためのヒートポンプ往管２１の上流側端部を接続し、貯湯タンク１の頂部１ｂにヒートポンプ２で加熱した湯を貯湯タンク１内に戻すためのヒートポンプ復管２２の下流側端部を接続するもので、ヒートポンプ往管２１の下流側端部及びヒートポンプ復管２２の上流側端部はヒートポンプ２の熱交換部に接続されている。また、ヒートポンプ往管２１及びヒートポンプ復管２２には水抜き用弁２３が設けてあるとともに、ヒートポンプ往管２１には排水バルブ２４を有する排水管２５が分岐してあり、さらに、ヒートポンプ往管２１とヒートポンプ復管２２とを接続するバイパス管２６が接続してある。図中２７はヒートポンプ往管２１の途中に設けられて前記バイパス管２６が接続されるバイパス弁を示し、Ｓはタンク過熱防止スイッチを示す。
【００１４】
また、貯湯タンク１内には上下方向に複数のサーミスタ等からなる温度センサー（図示せず）が設けてある。貯湯タンク１には上述したように給水口１１を底部１ｃに設けてあり、また、ヒートポンプ往管２１を底部１ｃに接続するとともにヒートポンプ復管２２を頂部１ｂに接続してあるため、貯湯タンク１内においては上方の湯水程その温度が高いが、このとき前記のように温度センサーを上下方向に複数設けたことで、上方からどの位置位までの湯水が高温（例えば９０℃、６０℃、４０℃等）の湯となっているかを把握することができる。
【００１５】
そして、本発明においては、上記の貯湯式給湯機に給水口１１から貯湯タンク１内に給水される水の温度を計測する給水温センサーＴ１を給水口１１に設けるとともに吐出口１２から吐出される湯の温度を計測する吐湯温センサーＴ２を吐出口１２に設け、給水口１１から貯湯タンク１内に給水される水の流量を計測する流量計Ｒ１を給水口１１に設けてある。
【００１６】
給水温センサーＴ１は、本実施形態ではサーミスタからなるが特に限定されるものではなく、この給水温センサーＴ１は給水管３の内部を流れる水の温度を計測可能なように給水管３の途中に設けてある。さらに、給水管３の分岐管３５の分岐部よりも下流側に流量計Ｒ１が設けてあり、給水口１から貯湯タンク１内に供給された水量が計測可能となっている。また、給湯管４（即ち高温用の給湯管４ａと中温用の給湯管４ｂとの分岐部よりも上流側）には貯湯タンク１からの湯の温度を計測可能な吐湯温センサーＴ２が設けてある。
【００１７】
上記のような貯湯式給湯機においては、使用者が吐湯栓４２又は吐出栓４４を開栓することで貯湯タンク１の湯を使用するが、上述したように、高温の湯を使用する時には吐湯栓４２を開栓して高温用の給湯管４ａを介して貯湯タンク１内の湯をそのまま吐出させ、中温（前記高温の湯より低温）の湯を使用する時には吐出栓４４を開栓して、混合弁４３の開度を調整して貯湯タンク１内の湯と給水管３からの水を混合して所望の温度とした湯を使用する。そして、貯湯タンク１内から湯が吐出されると、給水管３の給水栓３１を開栓して吐出された湯量と同量の水が貯湯タンク１内に補充され、貯湯タンク１内は常に湯水で充満した状態となっている。
【００１８】
このとき、貯湯タンク１内に補充された水の温度及び量は、給水温センサーＴ１にて計測された温度ｔ１（℃）及び流量計Ｒ１によって計測された量ｒ１（Ｌ）となり、貯湯タンク１内から吐出された湯の温度及び量は、吐湯温センサーＴ２にて計測された温度ｔ２（℃）及び流量計Ｒ１によって計測された量ｒ１（Ｌ）とみなすことができる。（すなわち、上記のように貯湯タンク１内は常に湯水で充満した状態としているため、吐出された湯量は給水された水量ｒ１と同量とみなすことができる）このため、貯湯タンク１から出た湯及び補充された水の総熱量差Ｑ（ｋｃａｌ）は、
Ｑ＝（ｔ２−ｔ１）×ｒ１・・・（１）
となり、この総熱量差Ｑ（ｋｃａｌ）が加熱手段にて湯水の加熱に要した熱量となり、この使用した熱量が制御部によって表示手段に表示される。ただし、貯湯タンク１、ヒートポンプ復管２２等からの放熱は考慮していない。
【００１９】
また、給水温センサーＴ１にて計測される温度ｔ１、吐湯温センサーＴ２にて計測される温度ｔ２、流量計Ｒ１によって計測される単位時間当りの流量ｒ１’（Ｌ／ｓｅｃ）が出湯及び給水中に時間変化する場合には、単位時間当りの総熱量差Ｑ’（ｋｃａｌ／ｓｅｃ）すなわち、
Ｑ’＝（ｔ２−ｔ１）×ｒ１’・・・（２）
を時間的に積算（時間積分）すれば総熱量差Ｑ（ｋｃａｌ）が得られる。
【００２０】
このようにすることで、加熱手段にて使用した熱量を把握することが可能となり、使用者が、本貯湯式給湯機における熱使用量を確認することができて省エネ化を図ることができる。
【図面の簡単な説明】
【００２１】
【図１】本発明の一実施形態の構成図である。
【符号の説明】
【００２２】
１    貯湯タンク
１１  給水口
１２  吐出口
Ｔ１  給水温センサー
Ｔ２  吐湯温センサー
Ｒ１  流量計
【図１】
2005241058.tif 000003